(57)【要約】【課題】  本発明は陸上を走行可能な油圧ショベル本体及び４輪トラック等を利用して専用船を利用することなく簡便に水草を刈取除去し、除去された水草をトラックで陸送することを目的とする。【解決手段】  油圧ショベルのショベルに代えて水草刈取収容機筐１の上面を回転テーブル１２を介して該ショベルのアーム１０の先端及びバケット動作用油圧シリンダ１１の先端に枢支し、上記機筐１に水草カッタ２３を介して水草・空気吸引口３を突設し、上記吸引口３に水草・空気輸送ホース４を接続し、上記ホース４を水草・空気遠心分離機５を介して空気吸引ポンプ６に接続し、上記遠心分離機５によって水草７を輸送空気から分離することを特徴とする水草回収装置。【選択図】  図２
2006311806.tif 000002
【特許請求の範囲】
【請求項１】
水草刈取収容機筐を水面に支持し、
上記機筐に水草・空気吸引口を設け、
上記吸引口から水草・空気輸送ホース及び陸上の水草・空気遠心分離機を介して吸引ポンプによって空気を吸引し、
上記機筐内に刈取った水草を空気輸送により陸上に搬送し、
上記遠心分離機によって水草を回収することを特徴とする水草回収法。
【請求項２】
油圧ショベルのショベルに代えて水草刈取収容機筐の上面を回転テーブルを介して該ショベルのアームの先端及びバケット動作用油圧シリンダの先端に枢支し、
上記機筐に水草カッタを介して水草・空気吸引口を突設し、
上記吸引口に水草・空気輸送ホースを接続し、
上記ホースを水草・空気遠心分離機を介して空気吸引ポンプに接続し、
上記遠心分離機によって水草を輸送空気から分離することを特徴とする水草回収装置。
【請求項３】
上記機筐の正面を開口し、水草・空気吸引口を上記開口正面と直交する側板に設けた請求項２記載の水草回収装置。
【請求項４】
上記開口面の底部及び両側部にそれぞれ往復摺動刈取刃を設け、上記機筐の内部に刈取水草透導コンベアを設け、該コンベアの上端背部に設けた水草第１カッタを設け、該カッタの直下に設けたコンベアの終端に上記第１カッタと直角方向に回動する水草第２カッタを上記吸引口の基部に設けた請求項２又は３に記載の水草回収装置。
【請求項５】
上記水草・空気遠心分離機が機台に設けた上端閉鎖直立外筒内に円形間隙を介して内筒を設け、該間隙の接線方向に上記ホースの終端を接続し、上記内筒の上部外筒にドレン装置を介して空気吸引ホースを接続し、該ホースを空気吸引ポンプに接続してなり、
上記外筒の下端部に間隔を介して交互開閉上下シャッタを設けてなる請求項２〜４のいずれかに記載の水草回収装置。
【発明の詳細な説明】
【技術分野】
【０００１】
本発明は河川、湖又はクリーク等に生える水草の除草回収法とその装置に関するものである。
【背景技術】
【０００２】
従来、水草を刈取って、これを回収するため専用船が用いられ、船上で刈取った水草を裁断し、これを陸上げして回収した（例えば特許文献１、２、３）。
【０００３】
しかし、専用船を配船する必要があり、小河川、小湖、池、クリーク等に配船するための専用船の陸送を必要とした。
【０００４】
【特許文献１】特開平８−１９６１２９号
【特許文献２】特開平１１−１２７６６０号
【特許文献３】特開２００１−３８２３６号
【特許文献４】特開２００２−８４８５５号
【発明の開示】
【発明が解決しようとする課題】
【０００５】
本発明は陸上を走行可能な油圧ショベル本体及び４輪トラック等を利用して専用船を利用することなく簡便に水草を刈取除去し、除去された水草をトラックで陸送することを目的とする。
【課題を解決するための手段】
【０００６】
上記の目的を達成するため本発明は
第１に水草刈取収容機筐を水面に支持し、上記機筐に水草・空気吸引口を設け、上記吸引口から水草・空気輸送ホース及び陸上の水草・空気遠心分離機を介して吸引ポンプによって空気を吸引し、上記機筐内に刈取った水草を空気輸送により陸上に搬送し、上記遠心分離機によって水草を回収することを特徴とする水草回収法、
第２に油圧ショベルのショベルに代えて水草刈取収容機筐の上面を回転テーブルを介して該ショベルのアームの先端及びバケット動作用油圧シリンダの先端に枢支し、上記機筐に水草カッタを介して水草・空気吸引口を突設し、上記吸引口に水草・空気輸送ホースを接続し、上記ホースを水草・空気遠心分離機を介して空気吸引ポンプに接続し、上記遠心分離機によって水草を輸送空気から分離することを特徴とする水草回収装置、
第３に上記機筐の正面を開口し、水草・空気吸引口を上記開口正面と直交する側板に設けた上記第２発明記載の水草回収装置、
第４に上記開口面の底部及び両側部にそれぞれ往復摺動刈取刃を設け、上記機筐の内部に刈取水草透導コンベアを設け、該コンベアの上端背部に設けた水草第１カッタを設け、該カッタの直下に設けたコンベアの終端に上記第１カッタと直角方向に水草第２カッタを上記吸引口の基部に設けた上記第２又は第３発明記載の水草回収装置、
第５に上記水草・空気遠心分離機が機台に設けた上端閉鎖直立外筒内に円形間隙を介して内筒を設け、該間隙の接続方向に上記ホースの終端を接続し、上記内筒の上部外筒にドレン装置を介して空気吸引ホースを接続し、該ホースを空気吸引ポンプに接続してなり、上記外筒の下端部に間隔を介して交互開閉上下シャッタを設けてなる上記第２〜第４発明のいずれかに記載の水草回収装置、
によって構成される。
【０００７】
従って油圧ショベルのクローラを陸上に走行させアームの先端及び油圧シリンダの先端に上面を枢支した水草刈取収容機筐の開口面を水面に浮ぶ水草に向って押圧し、
開口面の底部及び両側部にある往復摺動刈取刃によって水に浮いている水草を刈取って、これを水面水準において上記機筐内に収容する。
【０００８】
収容された刈取水草は水草カッタで一部切断され、水草・空気吸引口から水草・空気輸送ホースを経て堤防上に駐車しているトラック上の水草・空気遠心分離機内に空気吸引ポンプによって空気輸送され、
上記遠心分離機の直立内外筒の円形間隙の接線方向に吸引供給され、水草は円形間隙にそって旋回下降し、空気は外筒の上部にラジアル方向に開口した吸引ホース内に吸引され外気に放出される。
【０００９】
上記接線方向から円形間隙に沿って旋回下降する水草は上記外筒の下端部にある交互開閉上下シャッタの開放上シャッタを経て閉鎖下シャッタ上に堆積した後上シャッタを閉鎖し、下シャッタを開放することによって上下シャッタ間に溜まった水草は機外に落下し搬出することができる。
【００１０】
上下シャッタは交互に開閉するため上記円形間隙内の負圧は一定に保持され、空気吸引ポンプによる上記負圧に影響は殆ど無い。
【発明を実施するための最良の形態】
【００１１】
河川敷８に油圧ショベルのクローラ９を走行させ、アーム１０の先端及びバケット動作用油圧シリンダ１１の先端にショベルに代えて水草刈取収容機筐の上面を回転テーブル１２を介して枢軸１３，１３’によって枢支する（図２（イ）図、図４）。
【００１２】
水草刈取収容機筐１は正面を開口し、開口正面と直交する側板１’に水草・空気吸引口３を側方に突設する（図４）。
【００１３】
上記開口正面の底部及び両側部にそれぞれ往復摺動刈取刃１４，１５，１５を設ける。
【００１４】
底部の上記刈取刃１４は往復摺動杆１４’に支持され、往復摺動杆１４’の左右往復摺動に伴って刈取刃１４も往復摺動し、水草７の下部や根等をカットし、両側部の往復摺動刈取刃１５，１５は往復昇降杆１５’，１５’によって往復昇降し、それによって水草７の刈取幅が定められる。
【００１５】
上記アーム１０を水面２に沿って移動させることによって上記機筐１内に刈取った水草７を収容することができる。
【００１６】
又上記アーム１０の先端を昇降させることによって上記機筐１の底部を水面２下に適宣下降させることによって浮いている水草７の下端部水準に下降し、水草７を機筐１内に収容することができる。
【００１７】
上記機筐１の上面の回転テーブル１２は図５に示す縦形正逆電動機１６の駆動スプロケット１６’と回転テーブル１２の減速スプロケット１２’とに無端チェン１６’を掛回し、該電動機１６によって上記機筐１を水平方向の所定位置に回動させることができる（図４、図５）。
【００１８】
上記機筐１の内部には開口正面の下部から上面に向って上向に傾斜する２個の平行無端チェンコンベア１７，１７が設けられ、両無端チェン１７，１７を接続する複数の連杆１８に複数の掻上羽根１９を外向に突設して刈取水草掻上げコンベア２０を設け、
該コンベア２０の上端部背後に掻上水草下降用回転刃２１を設けて掻上水草を上記コンベア２０の中程背後に設けた左右方向水平コンベア２２上に掻き落とすようになっている。
【００１９】
上記水平コンベア２２によって刈取水草７は図７右側に搬送され、水草カッタ２３，２３によって一部カットされ、上記吸引口３から上記機筐１内の空気と共に水草・空気輸送ホース４内に吸引され、該ホース４内を空気輸送される。
【００２０】
上記ホース４は堤防２４上に駐車しているトラック２５に搭載された機枠２６に設置されている水草・空気遠心分離機５及びドレン装置２７を経て油圧ロータリー式空気吸引ポンプ６に接続し、上記遠心分離機５によって水草７と空気が分離し、空気は直立排気筒２８から外気に放出される。
【００２１】
上記遠心分離機５は図３に示すように上端閉鎖直立円筒５’（外筒）の内部に上端閉鎖直立短円筒５”（内筒）を固定し、水草・空気輸送ホース４を両円筒５’，５”間の間隙部ｔに接線方向に接続開口４’する。
【００２２】
又上記内筒５”の上端閉鎖面と外筒５’の上端閉鎖面との中間において外筒５’の側面に吸引ホース４”をラジアル方向に開口接続し、該ホース４”をドレン装置２７を介して上記空気吸引ポンプ６に接続する。
【００２３】
そして上記外筒５’の下端部に交互開閉上下シャッタ２９，２９’を間隙ｓを介して設け、それによって上記外筒５’の下端部は上下シャッタ２９，２９’によって交互に閉鎖され、上記外筒５’内の負圧は上記上下シャッタ２９、２９’の交互開閉によって変動することなく、かつ上記外筒５’内に空気輸送された水草７は開放上シャッタ２９を経て閉鎖下シャッタ２９’上の間隔ｓ部に重量により旋回下降して進入し、その状態で上シャッタ２９が閉鎖して上記外筒５’の下部を密閉し、下シャッタ２９’を開放して間隔ｓ部内の水草７を搬出コンベア３０上に落下する動作を繰返す。
【００２４】
そして搬出コンベア３０から搬出トラック３１に積載されて搬送処分される。
【００２５】
尚図２（イ）図中３２はパワショベルの運転室、３３はブーム、３４はブーム昇降シリンダ、３５はアーム昇降シリンダ、（ロ）図中３６は原動機室、３７，３７’は上記上下シャッタ２９，２９’のそれぞれ開閉用シリンダである。
【００２６】
又図４、５中３８はコンベア２０及び往復摺動杆１４’，１５’の駆動モータである。
【図面の簡単な説明】
【００２７】
【図１】本発明の水草回収法及びその装置を示す全体側面図である。
【図２】（イ）図は水草刈取状態の側面図、（ロ）図は水草・空気遠心分離装置の側面図である。
【図３】水草・空気遠心分離装置の拡大側面図である。
【図４】水草刈取機筐の開口部の正面図である。
【図５】図４を右方から見た側面図である。
【図６】図４の縦断右側面図である。
【図７】図５の縦断正面図である。
【符号の説明】
【００２８】
１      水草刈取収容機筐
２      水面
３      水草・空気吸引口
４      水草・空気輸送ホース
５      水草・空気遠心分離機
６      吸引ポンプ
７      水草
【図１】
2006311806.tif 000003
【図２】
2006311806.tif 000004
【図３】
2006311806.tif 000005
【図４】
2006311806.tif 000006
【図５】
2006311806.tif 000007
【図６】
2006311806.tif 000008
【図７】
2006311806.tif 000009